(57)【特許請求の範囲】
【請求項１】
長尺体の通気性シートと、この通気性シートの側縁端面に取り付けられた防水透湿性シートとからなることを特徴とする壁内防水透湿シート。
【請求項２】
前記通気性シートの一面に粘着剤層が設けられていることを特徴とする請求項１に記載の壁内防水透湿シート。
【請求項３】
壁構造体と外壁パネルとの間に空気流通路が形成された壁内通気構造において、上記空気流通路の下側出入口に請求項１または２記載の壁内防水透湿シートが防水透湿性シートを上に向けて取り付けられ、この壁内防水透湿シートで空気流通路の下側出入口が塞がれていることを特徴とする壁内通気構造。
【発明の詳細な説明】
【０００１】
【発明の属する技術分野】
本発明は、構造体と外壁パネルとの間に空気流通路が形成された壁内通気構造に用いる壁内防水透湿シート、及び壁内通気構造に関する。特に、本発明は複数個の建物ユニットを組み立てたユニット建物に好適な壁内防水透湿シート及び壁内通気構造に関する。
【０００２】
【従来の技術】
従来、壁内に空気流通路を設け、この空気流通路の中を通過する空気によって壁内の湿気を排出して壁内の結露の発生を防いだり、日射によって加熱された外壁からの熱を排出して屋内の温度上昇を防いで居住性をよくし、冷房に使用されるエネルギーを減少させることが行われている。
例えば、外壁パネルと壁下地材との間に空気流通路が形成された壁内通気構造としては、特公平４−７２９３６号公報（従来例１と称する）に記載された構造が知られている。
【０００３】
この空気流通路が形成された壁内通気構造は、壁下地材の上に接続片を介して外壁パネルが取り付けられたものであって、壁下地材と外壁パネルとの間には接続片の厚みとほぼ等しい空気流通路が形成されたものである。
【０００４】
又、外壁パネルと内壁パネルとの間に空気流通路が形成された壁内通気構造としては、特開平７−４２２６０号公報（従来例２と称する）に記載された構造が知られている。
この壁内通気構造は、内壁パネルと外壁パネルとの間にガラスウールからなる断熱材が挿入されていて、外壁パネルの屋内側面に凸状のスペーサーが設けられ、この凸状のスペーサーで断熱材を押すことにより、空気流通路が形成されたものである。
【０００５】
又、特開平８−１２０７９９号公報には通気層パネルが記載されている。この通気層パネルは面内方向に貫通した通気孔と、この通気孔から面外方向に貫通した貫通孔とを有するパネルと、このパネルの表面に貫通孔を覆った透湿防風シートからなるものであって、この通気層パネルを壁下地材と外壁パネルの間に通気孔を上下方向に向けて挟むと、壁下地材と外壁パネルの間に通気孔からなる空気流通路が形成され、この空気流通路を通過する風によって透湿防風シートを経て貫通孔を通って通気孔に入った壁内の湿気が排気されるのである。
【０００６】
一方、ユニット建物は、運搬可能な一定の大きさの箱形の、且つ、内部、外部の仕上げられた建物ユニットを、予め、工場で製造し、この建物ユニットの複数個を施工現場に運搬し、施工現場で組み立てて建物となすものであって、現場施工期間が短く、且つ、寸法精度の良い標準化された建物となる特徴があることから、近年、広く採用されている。
【０００７】
このユニット建物には種々な構造が知られてしいる。
例えば、特公昭６２−６２２２４号公報には、矩形の四隅に配置された鋼製四角筒の４本の柱と、この４本の柱の下端部を矩形の辺に沿って連結した断面コ字形の鋼製長尺体の４本の床梁と、４本の柱の上端部を矩形の辺に沿って連結した断面コ字形の鋼製長尺体の４本の天井梁とからなる骨格を備えた建物ユニットの複数個を組み立てたユニット建物が記載されている。
【０００８】
尚、この建物ユニットでは、外壁を設ける場所に天井梁と床梁との間に間柱を差し渡して立設し、この間柱の屋内側に内壁パネルを取り付けて壁構造体を構成し、間柱の屋外側に外壁パネルを取り付け、この外壁パネルと内壁パネルの間に断熱材が取り付けられて壁が形成されている。そして、従来例２では、この外壁パネルと内癖パネルの間に空気流通路が形成されているのである。
【０００９】
又、特公昭５８−３０９７８号公報には、床パネルと壁パネルを組み立てた建物ユニットの複数個を組み立てたユニット建物も知られている。
この建物ユニットの場合には、従来例１記載のように、壁パネルの外壁パネルと壁下地材（壁構造体）との間に空気流通路が形成されている。
これ等のユニット建物では、予め外壁パネルを取り付けた建物ユニットを組み立てるので、上階の建物ユニットの外壁パネルと下階の建物ユニットの外壁パネルとの間には必然的に隙間が形成される。
【００１０】
【発明が解決しようとする課題】
しかし、従来例１〜３記載の壁内通気構造では、雨天や雪の日に風が強く吹くと、この空気流通路の出入口や、上階の外壁パネルと下階の外壁パネルの隙間から空気流通路の中に水滴や粉雪が吹き込み、この水滴や粉雪が空気流通路の周囲に付着し、壁内の結露を防止するという目的が達せられなくなるし、この水分が壁下地材に滲み込んで壁下地材の内側に取り付けられた断熱材や、外壁パネルと内壁パネルの間に取り付けられている断熱材を湿らして断熱性能を低下させるという問題がある。
【００１１】
特に、空気流通路では下側出入口から空気が入った空気が温められ上方に上昇し上側出入口から出るので、下側出入口から水滴や粉雪が入ることが多い。
上階の外壁パネルと下階の外壁パネルの隙間から空気流通路に入る水滴や粉雪を防ぐために、従来例１では、防水シートの上側縁部を上階の外壁パネルの屋内側は壁構造体との間に取り付け、この防水シートを上階の外壁パネルと下階の外壁パネルの間を通過させて、下階の外壁パネルの外側に取り付けている。
【００１２】
しかし、このように、上階の外壁パネルの屋内側から下階の外壁パネルの外側に防水シートを取り付けると、この防水シートが空気流通路を塞ぐので壁内の空気流通路の流れを妨げ十分通気が行われないという問題がある。
しかも、この場合では、空気流通路の出入口からは水滴や粉雪が吹き込むという問題がある。
【００１３】
そこで、本発明の目的は空気流通路の出入口や上階の外壁パネルと下階の外壁パネルの間から水滴や粉雪が吹き込まないし、壁内の空気流通路の通気を妨げない壁内防水透湿シートと、この壁内防水透湿シートを取り付けた壁内通気構造を提供することである。
【００１４】
【課題を解決するための手段】
本発明は上記目的を達成するためになしたものであって、請求項１記載の発明は、長尺体の通気性シートと、この通気性シートの側縁端面に取り付けられた防水透湿性シートとからなる壁内防水透湿シートとしたことを特徴とする。
【００１７】
請求項２記載の発明は、前記通気性シートの一面に粘着剤層が設けられていることを特徴とする。
【００１９】
請求項３記載の発明は、壁構造体と外壁パネルとの間に空気流通路が形成された壁内通気構造において、上記空気流通路の下側出入口に請求項１または２記載の壁内防水透湿シートが防水透湿性シートを上に向けて取り付けられ、この壁内防水透湿シートで空気流通路の下側出入口が塞がれているものである。
【００２１】
請求項１記載の発明に使用する防水透湿シートとは、雨水を通過させないが、空気を通過させるものであって、上記合成樹脂製の不織布等が好適である。
【００２２】
請求項２記載の発明においては、通気性シートの一面に粘着剤層を設けているが、この粘着剤層にゴミ等が付着したり、粘着剤層が別の場所に接着しないように、使用するまで粘着剤層の上に離型紙を貼り付けていて、使用時にこの離型紙を剥がすようにするとよい。この粘着剤層を設ける手段としては、防水シートや通気性シートの表面に直接粘着剤を塗布して設けてもよいし、又、両面粘着テープを貼り付けて、表面に粘着剤層を設けてもよい。
【００２７】
（作用）
請求項１または２記載の発明は、空気流通路の出入口に取り付ける壁内防水透湿シートである。尚、この壁内防水透湿シートは上側出入口に取り付けても、又、下側出入口に取り付けても水滴や粉雪の浸入を防ぐことができるが、下側出入口から水滴や粉雪が入ることが多いので、この下側出入口に壁内防水透湿シートを取り付けたときの作用について説明する。
【００２８】
即ち、請求項１記載の発明では、長尺体の通気性シートと、この通気性シートの側縁端面に取り付けられた防水透湿性シートとからなるから、この壁内防水透湿シートを空気流通路の下側出入口に取り付ける。この際、通気性シートの側縁端面に取り付けられている防水透湿性シートを上に向ける。
【００２９】
すると、雨天の日や雪が降る日に風が強く吹いて水滴や粉雪が空気流通路の下側出入口に吹き突け、通気性シートの中に入っても、この水滴や粉雪を含む風が通気性シートの中を通過している間に失速し、水滴や粉雪が下方に落ちるし、又、通過しても、この通気性シートの奥には通気性シートの側縁端面が取り付けられているから、この防水透湿性シートによって水滴や粉雪が遮られて空気流通路の中に浸入しない。
【００３０】
しかも、防水透湿性シートは空気を通過させるので、通気性シートを通過した空気は防水透湿性シートに邪魔されることなく空気流通路に入る。このように、壁内防水透湿シートが壁内の空気の流通を阻害しない。
【００３１】
請求項２記載の発明では、前記通気性シートの一面に粘着剤層が設けられているから、この壁内防水透湿シートを取り付ける際に、粘着剤層を空気流通路の出入口近傍の外壁パネルや壁構造体に接着すればよく、施工し易い。
【００３４】
請求項３記載の発明では、空気流通路の下側出入口に請求項１または２記載の壁内防水透湿シートが防水透湿性シートを上に向けて取り付けられ、この壁内防水透湿シートで空気流通路の出入口がほぼ塞がれているから、雨天の日や雪が降る日に風が強く吹いて水滴や粉雪が空気流通路の出入口に吹き突け、この水滴や粉雪が空気流通路内を上昇する空気の流れによって下側出入口から入っても、水滴や粉雪を含む風が通気性シートの中を通過している間に失速し、水滴や粉雪が下方に落ちるし、又、落ちずに通気性シートの中を上昇しても、この通気性シートの奥には通気性シートの側縁端面に取り付けられた防水透湿性シートがあるから、この防水透湿性シートによって水滴や粉雪が遮られて空気流通路の中に浸入しない。
【００３５】
しかも、防水透湿性シートは空気を通過させるので、通気性シートを通過した空気は防水透湿性シートに邪魔されることなく空気流通路に入る。このように、壁内防水透湿シートが壁内の空気の流通を阻害しない。
【００３６】
【発明の実施の形態】
次に、本発明の実施例を説明する。
（実施例１）
図１〜図９は本発明をユニット建物に応用した一実施例を示すもので、図１（イ）は２階の外壁パネルと１階の外壁パネルとの間に取り付けられる壁内防水透湿シート（以後外壁パネル間壁内防水透湿シートと称する）の正面図、（ロ）は（イ）のＡ−Ａ線における断面図、（ハ）は（イ）のＢ−Ｂ線における断面図、図２（イ）空気流通路の出入口に取り付けられる壁内防水透湿シート（以後出入口防水透湿シートと称する）の正面図、（ロ）は（イ）のＣ−Ｃ線における断面図、図３はユニット建物の説明図、図４（イ）は図３のＤ−Ｄ線における断面図、（ロ）は（イ）の正面図、図５は図３のＥ−Ｅ線における断面図、図６は床梁に出入口防水透湿シートを取り付けた状態を示す説明図、図７は建物ユニットの骨格を示す説明図、図８は外壁パネルを示す説明図、図９は内壁パネルを示す説明図である。
【００３７】
１はユニット建物であり、このユニット建物１は、図３に示すように、基礎９５の上に４個の１階の建物ユニット２が据え付けられ、この上に４個の２階の建物ユニット２が据え付けられ、この上に屋根パネル９が取り付けられたものである。
【００３８】
建物ユニット２の骨格は、図７に示すように、方形の四隅に立設された４本の四角柱からなる鋼製の柱２１と、この４本の柱２１の下端部を方形の４辺に沿って連結する４本の断面コ字形の鋼製の床梁２２と、この４本の柱２１の上端部を方形の４辺に沿って連結する４本の断面コ字形の鋼製の天井梁２３からなる。
【００３９】
そして、相対する床梁２２に鋼製の断面ロ字形の床小梁２４が差し渡され、この床小梁２４の上に木製の床根太２５が取り付けられ、この床根太２５の上にパーチクルボードからなる床材２６が取り付けられて床が形成されている。又、相対する天井梁２３に木製の天井野縁２７が取り付けられ、この天井野縁２７の下に石膏ボートからなる天井材が取り付けられて天井が形成されている。
【００４０】
又、壁を設ける場所には天井梁２３と床梁２２の間に断面コ字形の間柱３１が取り付けられ、この間柱３１の屋内側に内壁パネル４が木レンガ４５を介して取り付けられ、この内壁パネル４の屋外側面にはガラスウールからなる断熱材が取付けられていて、この天井梁２３、間柱３１、内壁パネル４、断熱材３２、床梁２２とで壁構造体３が構成されている。
【００４１】
そして、この壁構造体３の外側に外壁パネル５が取付けられて壁が形成されている。
内壁パネル４は、図９に示すように、矩形状に枠組された木製の外枠４１とこの外枠４１の中に取り付けられた木製の桟４２とからなる枠４３の屋内側に石膏ボートからなる内壁材４４が取り付けられたものである。
【００４２】
外壁パネル５は、図８に示すように、矩形状に枠組された断面ロ字形の鋼製の外枠５１とこの外枠５１の中に取リ付けられた断面ロ字形の鋼製の桟５２とからなる枠５３の屋外側に硬質木片セメント板からなる外壁材５４が取り付けられたものである。
そして、この外壁パネル５は間柱３１の屋外側に取り付けられる。このように外壁パネル５が取り付けられると、外壁パネル５と天井梁２３、間柱３１、内壁パネル４、床梁２２等からなる壁構造体３との間に空気流通路Ｘが形成される。
【００４３】
６は外壁パネル間壁内防水透湿シートであり、この外壁パネル間壁内防水透湿シート６は、図１に示すように、ビニロン繊維布の芯材の表面にブチル系ゴムを設けたゴム引布からなる防水シート６１と、この防水シート６１の一面に側縁部に沿って取り付けられた連続気泡の架橋ポリエチレン発泡体シートからなる通気性シート６２と、この通気性シート６２の表面に取り付けられた両面粘着テープからなる粘着剤層６３と、この粘着剤層６３の表面に取り付けられた離型紙６４とからなる。
【００４４】
尚、通気性シート６２は防水シート６１より幅が狭い。従って、防水シート６１は通気性シート６２の一側から長く突出している。
又、建物ユニット２では、柱２１が間柱３１より突出しているので、通気性シート６２は両側の柱２１部分の厚みを小さくして取り付け易くしている。
【００４５】
この外壁パネル間壁内防水透湿シート６は、離型紙６４を剥がし、粘着剤層６３の粘着面を２階の建物ユニット２の壁構造体３である床梁２２に貼り付けて、壁構造体３に取り付けられている。そして、図４に示すように、防水シート６１が２階の外壁パネル５と１階の外壁パネル５の間を通過し、１階の外壁パネル５の屋外側に沿って垂れ下げられ、この上から所々に水切りカバー取付具７５が取り付けられて、防水シート６１が取り付けられている。
【００４６】
７は水切りカバーであり、１階の外壁パネル５の上部の所々に取り付けられている水切りカバー取付具７５に架け渡されて取り付けられていて、この水切りカバー７で１階の外壁パネル５と２階の外壁パネル５の間の隙間が覆われて、この隙間が見え難くなると同時に水滴等が入り難くなっている。
【００４７】
８は出入口防水透湿シートであり、この出入口防水透湿シート８は、図２に示すように、連続気泡のポリウレタン発泡体長尺体の通気性シート８１と、この通気性シート８１の側縁端面に取り付けられたＤｕＰｏｎｔ社製「商品名タイベック」防水透湿性シート（ポリエチレン不織布からなる防水透湿性シート）８２と、通気性シート８１の一面に設けられたブチル系粘着剤層８３と、このブチル系粘着剤層８３の上に貼り付けられた離型紙８４とからなる。
【００４８】
この出入口防水透湿シート８は、図６に示すように、１階の建物ユニット２の床梁２２に離型紙８４を外して粘着剤層８３を貼り付けて取り付けられている。そして、この上に外壁パネル５が取り付けられていて、この外壁パネル５の外枠５１と床梁２２との間に出入口防水透湿シート８が挟まれている。
このようになっているので、この出入口防水透湿シート８によって空気流通路Ｘの下側出入口が塞がれている。
【００４９】
次に、このユニット建物１の施工方法および作用について説明する。
工場で、図２に示すように、方形の四隅に４本の柱２１を立設し、この４本の柱２１の下端部を方形の４辺に沿って４本の床梁２２で連結し、４本の柱２１の上端部を方形の４辺に沿って４本の天井梁２３で連結して建物ユニット２の骨格を製造する。
【００５０】
次に、相対する床梁２２に床小梁２４を差し渡し、この床小梁２４の上に床根太２５を取り付け、この床根太２５の上に床材２６を取り付けて床を形成する。又、相対する天井梁２３に天井野縁２７を取り付け、この天井野縁２７の下に天井材を取り付けて天井を形成する。又、壁を設ける場所には天井梁２３と床梁２２の間に間柱３１を取り付ける。尚、この間柱３１の屋内側（断面コ字形の開口の中）には木レンガ４５を予め、取り付けている。
【００５１】
一方、図９に示すように、木材を矩形状に枠組みした外枠４１とこの外枠４１の中に取り付けられた桟４２とからなる枠４３を製造し、この枠４３の屋内側に内壁材４４を取り付けて内壁パネル４を製造し、この内壁パネル４の屋外側に断熱材を取り付ける。
又、図８に示すように、矩形状に枠組された鋼製の外枠５１とこの外枠５１の中に取り付けられた鋼製の桟５２とからなる枠５３を製造し、この枠５３の屋外側に外壁材５４を取り付けて外壁パネル５を製造する。
【００５２】
次に、図６に示すように、１階の建物ユニット２の床梁２２に出入口防水透湿シート８を取り付ける。同様にして、２階の建物ユニット２の床梁２２に外壁パネル間壁内防水透湿シート６を取り付ける。この際、粘着剤層８３、６３があるから出入口防水透湿シート８や外壁パネル間壁内防水透湿シート６を取り付け易い。
【００５３】
建物ユニット２に取り付けられた間柱３１の屋外側に外壁パネル５を取り付け、間柱３１の内側からディージーリベットを外壁パネル５の外枠５１に打ち込んで外壁パネル５を間柱３１に取り付ける。
すると、図５に示すように、１階の建物ユニット２の床梁２２と外壁パネル５の外枠５１の間に出入口防水透湿シート８が挟まれて、この出入口防水透湿シート８によって空気流通路Ｘの下側出入口が塞がれるし、又、図４に示すように、２階の建物ユニット２の床梁２２と外壁パネル５との間に外壁パネル間壁内防水透湿シート６が挟まれる。
【００５４】
次に、間柱３１の屋内側の木レンガ４５と隣の間柱３１の木レンガ４５とに断熱材が取り付けられた内壁パネル４を差し渡し、内壁パネル４の内壁材４４の上から枠４３を通して木レンガ４５に釘を打ち込んで内壁パネル４と断熱材３２を間柱３１に取り付ける。
すると、天井梁２３、間柱３１、内壁パネル４、断熱材３２、床梁２２とからなる壁構造体３が完成する。
【００５５】
更に、内作、外作等を行ったり、設備家具を取り付けたりして建物ユニット２を完成させる。
別に屋根パネル９を製造する。
このようにして製造した建物ユニット２、屋根パネル９等を施工現場に運搬する。
【００５６】
施工現場では、予め設けられている基礎９５の上に１階の建物ユニット２を４個据え付け、この１階の建物ユニット２の上に２階の建物ユニット２を据え付ける。
２階の建物ユニット２の床梁２２に取り付けられている外壁パネル間壁内防水透湿シート６の防水シート６１を２階の外壁パネル５と１階の外壁パネル５の間から引き出して１階の外壁パネル５の外壁材５４の屋外面に沿わせて垂れ下げ、この上から水切りカバー取付具７５を所々押し当て、この上からビス７６を１階の外壁パネル５の外枠５１に螺入して取り付ける。
【００５７】
そして、この水切りカバー取付具７５に水切りカバー７を架け渡して取り付ける。
更に、この２階の建物ユニット２の上に屋根パネル９等を据え付け、屋根パネル９の上に折版屋根を取り付けたり、屋根化粧材を取り付けたり、その他の仕上げをするとユニット建物１が完成する。
【００５８】
このようにして完成したユニット建物１では、壁構造体３に２階の外壁パネル５と１階の外壁パネル５との間に隙間があり、この隙間部分に外壁パネル間防水透湿シート６が取り付けられていても、この２階の外壁パネル５の下側縁部と壁構造体３の間に外壁パネル間壁内防水透湿シート６は、通気性シート６２を壁構造体３方向に向け、防水シート６１の長手方向を２階の外壁パネル５の下側縁部に沿わせて取り付けられるから、防水シート６１と壁構造体３との間には通気性シート６２がある。従って、壁構造体３と１階の外壁パネル５との間の空気流通路Ｘを通過した空気が通気性シート６２を通過して壁構造体３と２階の外壁パネル５の間の空気流通路Ｘの中に入る。
【００５９】
このように、この防水シート６１が空気流通路Ｘを通過する空気の流れを妨害しない。
又、外壁パネル間壁内防水シート６が２階の外壁パネル５の下側縁部に沿って取り付けられ、この外壁パネル間壁内防水透湿シート６の防水シート６１が２階の外壁パネル５と１階の外壁パネル５の間を通過し、防水シート６１の下側縁部が１階の外壁パネル５の屋外側表面に取り付けるから、雨天の日や雪が降る日に風が強く吹いて水滴や粉雪が２階の外壁パネル５と１階の外壁パネル５の間に吹き突けても、２階の外壁パネル５と１階の外壁パネル５との間にある防水シート６１が水滴や粉雪を遮り、この２階の外壁パネル５と１階の外壁パネル５との間から水滴や粉雪が浸入しない。
【００６０】
又、空気流通路Ｘの下側出入口には、出入口防水透湿シート８が防水透湿性シートを上に向けて取り付けられ、この壁内防水透湿シートで空気流通路の出入口がほぼ塞がれているから、雨天の日や雪が降る日に風が強く吹いて水滴や粉雪が空気流通路Ｘの出入口に吹き突け、この水滴や粉雪が空気流通路Ｘ内を上昇する空気の流れによって下側出入口から入っても、雨水や粉雪を含む風が通気性シート８１の中を通過している間に失速し、下方に落ちるし、又、落ちずに通気性シート８１の中を上昇しても、この通気性シート８１の奥には通気性シート８１の側縁端面に取り付けられた防水透湿性シート８２があるから、この防水透湿性シート８２によって水滴や粉雪が遮られて空気流通路Ｘの中に浸入しない。
【００６１】
しかも、防水透湿性シートＸは空気を通過させるので、通気性シート８１を通過した空気は防水透湿性シート８２に邪魔されることなく空気流通路Ｘに入る。このように、出入口防水透湿シート８が壁内の空気の流通を阻害しない。
このようになっているので、このユニット建物１は極めて居住性のよい建物である。
【００６２】
（実施例２）
図１０は本発明の他の実施例を示すもので、（イ）は外壁パネル間壁内防水透湿シートの正面図、（ロ）は（イ）のＦ−Ｆ線における断面図、（ハ）は（イ）のＧ−Ｇ線における断面図である。
【００６３】
この図１０に示す実施例２を図１〜図９に示す実施例１と比較すると、外壁パネル間壁内防水透湿シート６ａの粘着剤層６３ａが通気性シート６２ａに設けられてなく、防水シート６１ａの一面の側縁部に設けられ、この上に離型紙６４ａが設けられていることが異なる。
そして、この壁内防水透湿シート６ａは離型紙６４ａを剥がし、２階の外壁パネルの外枠に貼り付けることが異なる。
その他の構造および使用方法や作用は同じであるので説明を省略する。
【００６４】
（実施例３）
図１１は本発明の別の実施例を示すもので、（イ）は外壁パネル間壁内防水透湿シートの正面図、（ロ）は（イ）のＨ−Ｈ線における断面図、（ハ）は（イ）のＪ−Ｊ線における断面図、（ニ）は（イ）のＫ−Ｋ線における断面図である。
【００６５】
この図１１に示す実施例３を図１〜図９に示す実施例１と比較すると、外壁パネル間壁内防水透湿シート６ｂの粘着剤層６３ｂが通気性シート６２ｂに設けられてなく、防水シート６１ｂの一面の側縁部に設けられ、この上に離型紙６４ｂが設けられていること、通気性シート６２ｂが面内方向に貫通する貫通孔６５ｂが設けられているポリエチレン製板状体６２１ｂと、連続気泡の架橋ポリエチレン発泡体シート６２２ｂとからなること、および、防水シート６１ｂがポリエチレン不織布であることが異なる。
そして、この壁内防水透湿シート６ｂは離型紙６４ｂを剥がし、２階の外壁パネルの外側枠に貼り付けることが異なる。
その他の構造および使用方法や作用は同じであるので説明を省略する。
【００６６】
（実施例４）
図１２は本発明の更に別の実施例を示すもので、（イ）は外壁パネル間壁内防水透湿シートの正面図、（ロ）は（イ）のＬ−Ｌ線における断面図、（ハ）は（イ）のＭ−Ｍ線における断面図、（ニ）は（イ）のＮ−Ｎ線における断面図である。
【００６７】
この図１２に示す実施例４を図１〜図９に示す実施例１と比較すると、外壁パネル間壁内防水透湿シート６ｃの粘着剤層６３ｃが通気性シート６２ｃに設けられてなく、防水シート６１ｃの一面の側縁部に設けられ、この上に離型紙６４ｃが設けられていること、通気性シート６２ｃが面内方向に貫通する貫通孔６５ｃが設けられているポリエチレン製板状体６２１ｃと、連続気泡の架橋ポリエチレン発泡体シート６２２ｃとからなること、および、防水シート６１ｃがポリエチレン不織布であり、この防水シート６１ｃが通気性シート６２ｃの上端面まで延設されていることが異なる。
そして、この壁内防水透湿シート６ｃは離型紙６４ｃを剥がし、２階の外壁パネルの外側枠に貼り付けることが異なる。
その他の構造および使用方法や作用は同じであるので説明を省略する。
【００６８】
（実施例５）
図１３は本発明の更に別の実施例を示すもので、（イ）は外壁パネル間壁内防水透湿シートの正面図、（ロ）は（イ）のＰ−Ｐ線における断面図、（ハ）は（イ）のＱ−Ｑ線における断面図である。
【００６９】
この図１３に示す実施例５を図１〜図９に示す実施例１と比較すると、外壁パネル間壁内防水透湿シート６ｄの粘着剤層６３ｄが通気性シート６２ｄに設けられてなく、防水シート６１ｄの一面の側縁部に設けられ、この上に離型紙６４ｄが設けられていること、通気性シート６２ｄが面内方向に貫通する貫通孔６５ｄが設けられているポリエチレン製板状体６２１ｄと、連続気泡の架橋ポリエチレン発泡体シート６２２ｄとからなること、および、防水シート６１ｄがポリエチレン不織布であり、この防水シート６１ｄが通気性シート６２ｄの上端面まで延設されていること、通気性シート６２ｄの厚みがほぼ同じであることが異なる。そして、この壁内防水透湿シート６ｃは離型紙６４ｃを剥がし、２階の外壁パネルの外側枠に貼り付けることが異なる。
その他の構造および使用方法や作用は同じであるので説明を省略する。
【００７０】
（実施例６）
図１４は本発明の更に別の実施例を示すもので、（イ）は外壁パネル間壁内防水透湿シートの正面図、（ロ）は（イ）のＲ−Ｒ線における断面図である。
この図１４に示す実施例６を図１〜図９に示す実施例１と比較すると、出入口防水防湿シート８ｅの通気性シート８１ｅが面内方向に貫通する貫通孔８５ｅが設けられているポリエチレン製板状体であることが異なる。
その他の構造および使用方法や作用は同じであるので説明を省略する。
【００７４】
【発明の効果】
請求項１記載の発明では、長尺体の通気性シートと、この通気性シートの側縁端面に取り付けられた防水透湿性シートとからなるから、この壁内防水透湿シートを、防水透湿性シートを上に向けて、空気流通路の下側出入口に取り付けると、雨天の日や雪が降る日に風が強く吹いて水滴や粉雪が空気流通路の下側出入口に吹き突け、通気性シートの中に入っても、防水透湿性シートによって水滴や粉雪が遮られて空気流通路の中に浸入しない。その結果、空気流通路内に凍害が発生しないし、断熱材の断熱効果が減少しない。
【００７５】
しかも、防水透湿性シートは空気を通過させるので、通気性シートを通過した空気は防水透湿性シートに邪魔されることなく空気流通路に入り、壁内防水透湿シートが壁内の空気の流通を阻害しなく、安心である。
【００７６】
請求項２記載の発明では、前記通気性シートの一面に粘着剤層が設けられているから、粘着剤層を空気流通路の出入口近傍の外壁パネルや壁構造体に接着すればよく、施工し易く極めて便利である。
【００７８】
又、壁内防水防湿シートが上階の外壁パネルの下側縁部に沿って取り付けられ、この壁内防水防湿シートの防水シートが上階の外壁パネルと下階の外壁パネルの間を通過し、防水シートの下側縁部が下階の外壁パネルの屋外側表面に取り付けるから、雨天の日や雪が降る日に風が強く吹いて水滴や粉雪が上階の外壁パネルと下階の外壁パネルの間に吹き突けても、上階の外壁パネルと下階の外壁パネルとの間にある防水シートが水滴や粉雪を遮り、この上階の外壁パネルと下階の外壁パネルとの間から水滴や粉雪が浸入しない。その結果、空気流通路内に凍害が発生しないし、断熱材の断熱効果が減少しない。
この請求項５記載の発明では、上階の外壁パネルと下階の外壁パネルとの間に隙間ができるユニット建物に特に効果的である。
【００７９】
請求項３記載の発明では、空気流通路の下側出入口に請求項１または２記載の壁内防水透湿シートが防水透湿性シートを上に向けて取り付けられ、この壁内防水透湿シートで空気流通路の出入口が塞がれているから、雨天の日や雪が降る日に風が強く吹いて水滴や粉雪が空気流通路の出入口に吹き突け、この雨水や粉雪が空気流通路内を上昇する空気の流れによって下側出入口から入っても、通気性シートの奥には通気性シートの側縁端面に取り付けられた防水透湿性シートが水滴や粉雪を遮ぎり空気流通路の中に浸入しない。その結果、空気流通路内に凍害が発生しないし、断熱材の断熱効果が減少しない。
【００８０】
しかも、防水透湿性シートは空気を通過させるので、通気性シートを通過した空気は防水透湿性シートに邪魔されることなく空気流通路に入り、壁内防水透湿シートが壁内の空気の流通を阻害しなく安心である。
【図面の簡単な説明】
【図１】本発明をユニット建物に応用した一実施例を示すもので、（イ）は２階の外壁パネルと１階の外壁パネルとの間に取り付けられる壁内防水透湿シートの正面図、（ロ）は（イ）のＡ−Ａ線における断面図、（ハ）は（イ）のＢ−Ｂ線における断面図である。
【図２】（イ）空気流通路の出入口に取り付けられる壁内防水透湿シートの正面図、（ロ）は（イ）のＣ−Ｃ線における断面図である。
【図３】ユニット建物の説明図である。
【図４】（イ）は図２のＤ−Ｄ線における断面図、（ロ）は（イ）の正面図である。
【図５】図２のＥ−Ｅ線における断面図である。
【図６】床梁に出入口防水透湿シートを取り付けた状態を示す説明図である。
【図７】建物ユニットの骨格を示す説明図である。
【図８】外壁パネルを示す説明図である。
【図９】内壁パネルを示す説明図である。
【図１０】本発明の他の実施例を示すもので、（イ）は外壁パネル間壁内防水透湿シートの正面図、（ロ）は（イ）のＦ−Ｆ線における断面図、（ハ）は（イ）のＧ−Ｇ線における断面図である。
【図１１】本発明の別の実施例を示すもので、（イ）は外壁パネル間壁内防水透湿シートの正面図、（ロ）は（イ）のＨ−Ｈ線における断面図、（ハ）は（イ）のＪ−Ｊ線における断面図、（ニ）は（イ）のＫ−Ｋ線における断面図である。
【図１２】本発明の更に別の実施例を示すもので、（イ）は外壁パネル間壁内防水透湿シートの正面図、（ロ）は（イ）のＬ−Ｌ線における断面図、（ハ）は（イ）のＭ−Ｍ線における断面図、（ニ）は（イ）のＮ−Ｎ線における断面図である。
【図１３】本発明の更に別の実施例を示すもので、（イ）は外壁パネル間壁内防水透湿シートの正面図、（ロ）は（イ）のＰ−Ｐ線における断面図、（ハ）は（イ）のＱ−Ｑ線における断面図である。
【図１４】本発明の更に別の実施例を示すもので、（イ）は外壁パネル間壁内防水透湿シートの正面図、（ロ）は（イ）のＲ−Ｒ線における断面図である。
【符号の説明】
１              ユニット建物
２              建物ユニット
２１            柱
２２            床梁
２３            天井梁
３              壁構造体
３１            間柱
４              内壁パネル
５              外壁パネル
６、６ａ、６ｂ、６ｃ、６ｄ                  壁内防水透湿シート（外壁パネル間壁内防水透湿シート）
６１、６１ａ、６１ｂ、６１ｃ、６１ｄ        防水シート
６２、６２ａ、６２ｂ、６２ｃ、６２ｄ        通気性シート
６３、６３ａ、６３ｂ、６３ｃ、６３ｄ        粘着剤層
６４、６４ａ、６４ｂ、６４ｃ、６４ｄ        離型紙
８、８ｅ        壁内防水透湿シート（出入口防水透湿シート）
８１、８１ｅ    通気性シート
８２            防水透湿性シート
８３            粘着剤層
８４            離型紙
【図１】
0003898317.tif 000002
【図２】
0003898317.tif 000003
【図３】
0003898317.tif 000004
【図４】
0003898317.tif 000005
【図５】
0003898317.tif 000006
【図６】
0003898317.tif 000007
【図７】
0003898317.tif 000008
【図８】
0003898317.tif 000009
【図９】
0003898317.tif 000010
【図１０】
0003898317.tif 000011
【図１１】
0003898317.tif 000012
【図１２】
0003898317.tif 000013
【図１３】
0003898317.tif 000014
【図１４】
0003898317.tif 000015